(57)【要約】【課題】貯水槽の再塗装後など、空の貯水槽に初めて水道水を充填した場合の残留塩素濃度の大幅な低下を防止する。【解決手段】貯水槽に貯留された水道水を電気分解して残留塩素を発生させる電解槽を備え、予め設定された時刻又は時間間隔で所定時間、貯留水を電解槽を通して循環させるとともに電解槽に通電し、貯留水の残留塩素濃度を一定範囲に維持する塩素発生装置において、空の貯水槽に水道水を充填後、一定時間を経過するまでの初期期間は、その後の定常状態よりも電解槽の通電時間を長く設定する。初期給水後、一定時間は電解槽の通電時間を定常状態よりも延長することにより、この間の残留塩素発生量を増加させ、塗料や油分などの影響による残留塩素の大幅な低下を補うことができる。【選択図】  図１
2006130430.tif 000002
【特許請求の範囲】
【請求項１】
貯水槽に貯留された水道水を電気分解して残留塩素を発生させる電解槽を備え、予め設定された時刻又は時間間隔で所定時間、前記貯留水を前記電解槽を通して循環させるとともに前記電解槽に通電し、前記貯留水の残留塩素濃度を一定範囲に維持する塩素発生装置において、
空の前記貯水槽に水道水を充填した後、一定時間を経過するまでの初期期間は、その後の定常状態よりも前記電解槽の通電時間を長く設定したことを特徴とする塩素発生装置。
【請求項２】
前記初期期間中の通電時間を経過時間とともに前記定常状態の通電時間まで次第に減少させるようにしたことを特徴とする請求項１記載の塩素発生装置。
【請求項３】
経過時間とともに減少させる前記通電時間のパターンを前記初期期間中に所定の周期で繰り返すようにしたことを特徴とする請求項２記載の塩素発生装置。
【発明の詳細な説明】
【技術分野】
【０００１】
この発明は、ビルやマンションなどの貯水槽に貯留される水道水の残留塩素濃度を維持するための塩素発生装置に関する。
【背景技術】
【０００２】
一般にビルやマンションなどでは、地上の受水槽で受水した水道水を屋上の貯水槽（高置水槽）にポンプアップし、この貯水槽から各蛇口に水を供給するようにしている。ところが、高置水槽は開放型のタンクであり、水道水の滞留時間が長くなると塩素が抜け、雑菌が繁殖しやすくなる。一方、水道法では、水道の蛇口での残留塩素濃度は0.1ｍｇ／ｌ以上と定められているが、安全な水質を維持するためには0.3〜0.5ｍｇ／ｌの残留塩素濃度が必要であるとされている。そこで、水道水に含まれる塩素イオンを利用して塩素を発生させ、貯水槽内の水の残留塩素濃度の維持を図る塩素発生装置が開発され、このような装置については、例えば特許文献１に記載されている。
【０００３】
図４は、このような水質度維持装置を有する貯水槽の一般構成を示す概略図である。図４において、１はビルの屋上などに設置される貯水槽で、地上に設置された図示しない受水槽からポンプアップされた水道水が貯留されている。貯水槽１内の水道水は給水口２から各階の蛇口に給水され、水位が下がると図示しない水位センサからの検知信号により補給口３から補給される。この貯水槽１内の水道水は塩素で殺菌されているが、すでに述べたように滞留時間の経過とともに次第に塩素が抜けて雑菌が繁殖しやすくなる。そのため、貯水槽１と並んで残留塩素濃度の維持を図る塩素発生装置４が設置されている。貯水槽１の水道水は塩素発生装置４を通して循環することにより、残留塩素濃度の維持が図られている。
【０００４】
塩素発生装置４は、水道水を電気分解して塩素イオンから次亜塩素酸を発生させる電解槽５と、貯水槽１内の水道水を電解槽５を通して循環させる循環ポンプ６とを備えている。周知の通り、電解槽５は密閉された容器内に正負２枚の平板な電極７を有し、電極７は微小な隙間を介して対向配置されている。電解槽５及び循環ポンプ６は、例えば１日の運転回数、運転時刻、１回当りの運転時間などが予め定められており、制御部８は運転時刻になると所定の時間、電解槽５の電極間に所定の直流電流を通流しながら循環ポンプ６を運転する。これにより、貯水槽１内の水道水は電極間を通過しながら電気分解を受け、塩素イオンが次亜塩素酸に変換されて、貯水槽１内の水の残留塩素濃度が一定範囲に維持される。
【特許文献１】特開２０００−１５３８８５号公報
【発明の開示】
【発明が解決しようとする課題】
【０００５】
ところで、水道水を貯留する貯水槽は、内部の劣化を防止するために、定期的な点検・清掃に合わせて再塗装などの補修作業を行うことがある。これらの作業は貯水槽からの水の供給を停止して実施され、極力短時間で終了するように行われる。そのため、作業時間が十分に取れず、貯水槽も再塗装による塗料が完全に硬化する前に給水を開始する場合がある。この場合、塗料は水中で硬化が徐々に進行するが、その間は塗料中の有機物質との反応により水中の残留塩素濃度は平常時に比べ大幅に低下する。このような現象は、新規の給水装置の運転立ち上げや船舶が出航する前の貯水槽整備等の場合における塗料や油分などの影響によっても生じる。
【０００６】
そこで、この発明の課題は、空の貯水槽に初めて水道水を充填した際の残留塩素濃度の大幅な低下を防止することにある。
【課題を解決するための手段】
【０００７】
上記課題を解決するために、この発明は、貯水槽に貯留された水道水を電気分解して残留塩素を発生させる電解槽を備え、予め設定された時刻又は時間間隔で所定時間、前記貯留水を前記電解槽を通して循環させるとともに前記電解槽に通電し、前記貯留水の残留塩素濃度を一定範囲に維持する塩素発生装置において、空の前記貯水槽に水道水を給水した後、一定時間を経過するまでの初期期間は、その後の定常状態よりも前記電解槽の通電時間を長く設定するものとする（請求項１）。
【０００８】
請求項１の発明によれば、初期給水後、一定時間は電解槽の通電時間を定常状態よりも延長することにより、この間の残留塩素発生量を増加させ、塗料等の影響による残留塩素の消費を補うことができる。
【０００９】
請求項１の発明において、前記初期期間中の通電時間を経過時間とともに前記定常状態の通電時間まで次第に減少させるようにするのがよい（請求項２）。塗料等の影響は時間とともに低減する。従って、通電時間の延長も経過時間とともに抑えるのがよく、これにより残留塩素の過剰な生成による塩素臭の発生を防止することができる。
【００１０】
請求項２の発明において、経過時間とともに減少させる前記通電時間のパターンを前記初期期間中に所定の周期で繰り返すようにすることができる（請求項３）。
【発明の効果】
【００１１】
この発明によれば、空の貯水槽に水道水を充填した後の初期期間において、残留塩素発生量を定常状態よりも増加させることにより、塗料等の影響により残留塩素が過剰に消費されることによる残留塩素濃度の低下を補い、常に適正な水質を維持することができる。
【発明を実施するための最良の形態】
【００１２】
以下、図１〜図３に基づいて、この発明の実施の形態を説明する。
【実施例１】
【００１３】
図１は、この発明の実施例１を示す線図で、横軸は空の貯水槽に水道水を充填した後の経過時間（ｈ）、縦軸は電解槽の通電時間（ｍｉｎ）である。この実施例１は、例えば貯水槽を再塗装した場合に、水道水を充填した後の最初の１０時間は、塗料等との反応により貯留水中の残留塩素濃度の低下が大きくなる場合を想定し、その間は定常状態よりも電解槽の通電時間を長くする例を示している。すなわち、図１において、定常状態（１０時間経過後）の通電時間は３０分とし、初期期間では最初は６０分とし、その後、徐々に減少させて１０時間経過後に３０分としている。
【００１４】
塩素発生装置は、例えば毎時（１時間ごと）に自動運転され、各回の通電時間は水道水充填後の経過時間に応じて、図示線図に基づいて可変される。このような通電時間の可変制御によれば、空の貯水槽に水道水を充填した当初の残留塩素濃度の著しい低下を補うことができ、また時間経過に伴う塗料等の影響の低下に応じて通電時間を徐々に減少させることにより、残留塩素の過度の発生を抑えて塩素臭を防止することができる。
【実施例２】
【００１５】
図２は、この発明の実施例２を示す線図で、横軸は空の貯水槽に水道水を充填した後の経過時間（ｈ）、縦軸は電解槽の通電時間（ｍｉｎ）である。この実施例２は、水道水を充填した後の最初の３０時間は、塗料等との反応により貯留水中の残留塩素濃度の低下が大きくなる場合を想定し、その間は定常状態よりも電解槽の通電時間を長くし、かつ通電時間を時間の経過に応じて徐々に減少させるとともに、この減少パターンを複数回（図示の場合は３回）繰り返す例を示している。すなわち、図２において、定常状態（３０時間経過後）の通電時間は３０分であるが、初期状態では最初を６０分とし、その後、徐々に減少させて１０時間経過後に３０分とするとともに、この減少パターンを定常状態に至る３０時間に３回繰り返している。
【００１６】
図３は、実施例２の初期運転中における経過時間（横軸）と貯水槽内の残留塩素濃度（横軸）との関係を例示した線図である。なお、図中の破線は塩素発生装置の運転がない場合、一点鎖線は通電時間を常に一定にして塩素発生装置を運転した場合、実線は図２のパターンで通電時間を変化させた場合をそれぞれ示し、かつ塩素発生装置は毎時に自動運転されるものとしている。一般に、貯水槽への水道水の補給は、水位検知信号により水位が１／３程度低下したら行われるが、図３の例では貯水槽に最初に水道水を満タンまで充填した後、１２時間経過後に１回目の補給が行われ、２１時間経過後に２回目の補給が行われた場合を示している。
【００１７】
さて、図３において、電解槽の通電がない場合、破線で示す残留塩素濃度は時間の経過とともに低下するが、特に貯水槽に初めて水道水が充填された後の図示の初期期間中には低下が著しい。低下した残留塩素濃度は、水位が低下して新たな水道水が再び満タンまで補給されると図示の通り回復する。次に、図３において、１時間ごとに一定時間、電解槽に通電した場合には、一点鎖線で示すように残留塩素濃度の回復が行われるが、初期期間中は塗料等による残留塩素の消費が大きいため充分に回復せず、残留塩素濃度は時間とともに低下する。
【００１８】
これに対して、１時間ごとに図２に定められた時間、電解槽に通電した場合には、実線で示すように、残留塩素濃度は時間の経過に関わらずほぼ一定に保たれる。これは、初期期間中は図２に基づいて通電時間を長くすることにより、塗料等の影響により残留塩素の多大な消費を補うことによる。このように、空の貯水槽に初めて水道水を充填した後の初期運転中は、電解槽の通電時間を定常状態よりも長くすることにより、塗料や油分による残留塩素濃度の過度の低下を防止することができ、また時間経過とともに通電時間を徐々に減少させることにより、必要以上の残留塩素の発生を抑えて塩素臭を防止することができる。
【図面の簡単な説明】
【００１９】
【図１】この発明の実施例１を示す線図である。
【図２】この発明の実施例２を示す線図である。
【図３】実施例２における残留塩素濃度の経時変化を示す線図である。
【図４】塩素発生装置の一般的な構成を示すシステム図である。
【符号の説明】
【００２０】
１    貯水槽
５    電解槽
６    循環ポンプ
７    電極
【図１】
2006130430.tif 000003
【図２】
2006130430.tif 000004
【図３】
2006130430.tif 000005
【図４】
2006130430.tif 000006